(57)【要約】【課題】大型の木質パネルＰを現場まで横置きにして搬送した際に、より安全に、かつ、この木質パネルＰを縦置きにして、住宅の構築作業の効率を高める。【解決手段】木質パネルＰをＬ字状の反転置台２に横置きして、この反転置台２をＬ字の基端部２ｃをスライドさせながら反転置台２ごと木質パネルＰを９０度回転させて木質パネルＰを縦置きした状態に反転させるパネル反転装置１において、反転置台２を載せる基台部３と、反転置台２を横置きから縦置きに反転させる反転機構４とを備え、前記反転機構４は、反転置台２の基端部２ｃを左右にスライド自在に支持するスライド機構１３と、反転置台２の一部に連結されて、反転置台２の基端部２ｃをスライドさせた時に、主軸を中心に反転置台２を９０度回転させるリンク機構１４とを具備していることを特徴とするパネル反転装置１。【選択図】図２
2005240294.tif 000002
【特許請求の範囲】
【請求項１】
木質パネルをＬ字状の反転置台に横置きして、この反転置台をＬ字の基端部をスライドさせながら反転置台ごと木質パネルを９０度回転させて木質パネルを縦置きした状態に反転させるパネル反転装置において、
反転置台を載せる基台部と、反転置台を横置きから縦置きに反転させる反転機構とを備え、前記反転機構は、反転置台の基端部を左右にスライド自在に支持するスライド機構と、反転置台の一部に連結されて、反転置台の基端部をスライドさせた時に、主軸を中心に反転置台ごと木質パネルを９０度回転させるリンク機構とを具備していることを特徴とするパネル反転装置。
【請求項２】
請求項１記載のパネル反転装置において、
前記Ｌ字状の反転置台には、木質パネルの倒れ止めとなる前後一対の柵体が設けられ、この柵体は、木質パネルを反転置台に横置きした時に、木質パネルの下方で倒れ止めとなって木質パネルを支える第１および第２の柵体と、木質パネルを縦置きした時に、木質パネルの下方で倒れ止めとなって木質パネルを支える第３の柵体とからなり、これら柵体のうち前側の柵体は、ヒンジを介して開閉自在に設けられ、かつ第１および第２の柵体は、反転置台の基端部から先端部に向けて順番に配置され、しかも第２の柵体は第１の柵体よりも高さの低い柵体とされていることを特徴とするパネル反転装置。
【請求項３】
請求項１記載のパネル反転装置において、
前記スライド機構は、反転置台の基端部を、チェーンを介して基台部の長さ方向に移動させる駆動部と、反転置台の基端部とチェーンとを連結する連結部と、この連結部を基台部の長さ方向に案内するガイド部とを具備していることを特徴とするパネル反転装置。
【請求項４】
請求項１記載のパネル反転装置において、
前記リンク機構は、主軸を支持する架台と、反転置台に備えられて、この反転置台を回転自在に支持する支持軸と、この反転置台２の支持軸と主軸とを連結する連結アームとを具備し、前記反転置台の支持軸は、反転置台が横置き状態の時に、主軸よりも反転置台の先端側に位置し、かつ主軸の取り付け位置よりも下方に位置して設けられていることを特徴とするパネル反転装置。
【請求項５】
請求項１ないし請求項４記載のパネル反転装置において、
基台部には、基台部の設置状態を安定させる前後左右４本の脚機構が備えられ、かつこの脚機構は、基台部の外側に展開する旋回アームと、この旋回アームの先端に設けられて、高さ調整自在な接地プレートとから構成されていることを特徴とするパネル反転装置。
【発明の詳細な説明】
【技術分野】
【０００１】
本発明は、木質パネルをＬ字状の反転置台に横置きして、この反転置台をＬ字の基端部をスライドさせながら反転置台ごと木質パネルを９０度回転させて木質パネルを縦置きした状態に反転させるパネル反転装置に関する。
【背景技術】
【０００２】
近年においてはその家族構成や生活パターンの変化とともに、住戸内にも家具その他の多くの物品が揃えられ、また、その物品の使用形態も季節等に応じて多様化していることなどから、必要に応じてこれらの物品を建物内に収納しておくための大きな収納空間を必要とするようになってきている。この点は、土地の高騰に伴う敷地の有効利用および建物内容積の有効利用の観点からも、建物内に可能な限り大きくしかも効率的な収納空間を設けておくことが望まれている。
【０００３】
このような点を考慮した建物として、本出願人は「蔵型収納付き建物」（特許文献１参照）などを提案した。この「蔵型収納付き建物」の技術においては、大型収納区画、いわゆる蔵型収納室を設置した建物は、上階と下階の間に蔵型収納室を配置し、蔵型収納階に至る階段を設け、該階段の踊場に面して蔵型収納室の出入り口を設けたことを特徴とした。
【０００４】
このような蔵型収納付き建物の構造として、本出願人は、建物全体を木質パネルにて構築する構成のものを提案しているが、蔵型収納階を設けるような場合には、下階と蔵階とを合わせた大きさの大型木質パネルを用いて、建物の蔵階までを設ける建物の施工の効率化を図っていた。
【０００５】
ところが、蔵型収納付き建物に用いる大型木質パネルは、下階および蔵階部分の高さを備えた木質パネルであるため、搬送する場合などは、縦置きの状態では搬送車両の高さ制限等により、搬送することができなかった。
【０００６】
従って、搬送車両の高さ制限を越える高さの大型の壁パネルを、縦置きに立てた状態で搬送することは困難であることから、大型の木質パネルを工場から現場へと搬送する際には、搬送車両の高さ制限上、横置きあるいは寝かせて輸送する手段がとられている。
【０００７】
そして、このような大型の木質パネルは、現場で住宅の所定箇所に設置する場合には、横置きにしていたものを立て起こして縦置きにしたり、寝かせた状態のパネルを立て起こすことが可能な広い場所で立ち上げたりして、クレーン等による吊り上げ作業を行っていた。
【特許文献１】特開平０６−３２３００９号公報
【発明の開示】
【発明が解決しようとする課題】
【０００８】
ところが、このような吊り上げ作業は、現場に搬送されたパネルを９０度反転させたり、一旦、木質パネルを寝かしてから立て起こしたりしなければならないため、現場での作業に時間がかかるという課題があった。
【０００９】
そこで、このような大型の木質パネルを立て起こす時に、より安全に、かつ簡易に立て起こすことができるパネル反転装置の開発が望まれていた。
【００１０】
本発明の課題は、搬送車両の高さ制限を越える高さを持ち、あらかじめ工場で完成させた大型の木質パネルを、工場から現場まで横置きにして搬送した際に、より安全に、かつ、この横置きにした大型木質パネルを９０度反転させて縦置きした状態にすることができ、クレーン等で吊り上げる作業の手間を軽減させることのできるパネル反転装置を提供することを目的とする。
【課題を解決するための手段】
【００１１】
請求項１に記載の発明は、図１および図２に示すように、木質パネルＰをＬ字状の反転置台２に横置きして、この反転置台２をＬ字の基端部２ｃをスライドさせながら反転置台２ごと木質パネルＰを９０度回転させて木質パネルＰを縦置きした状態に反転させるパネル反転装置１において、
反転置台２を載せる基台部３と、反転置台２を横置きから縦置きに反転させる反転機構４とを備え、前記反転機構４は、反転置台２の基端部２ｃを左右にスライド自在に支持するスライド機構１３と、反転置台２の一部に連結されて、反転置台２の基端部２ｃをスライドさせた時に、主軸Ａを中心に反転置台２ごと木質パネルＰを９０度回転させるリンク機構１４とを具備していることを前記課題の解決手段とした。
【００１２】
請求項１に記載の発明によれば、横置きにして搬送されてきた木質パネルＰを、パネル反転装置１のＬ字状の反転置台２に、横置きのまま載せる。
そして、基台部３上に設けられたスライド機構１３を作動させて、反転置台２の基端部２ｃを、基台部３の先端に向けてスライドさせる。
この時、反転置台２に連結されたリンク機構１４が、基台部３の先端に向かってスライドしつつ、反転置台２を、主軸Ａを中心に、９０度回転させるため、反転置台２上の木質パネルＰは縦置きの状態に立て起こされる。
【００１３】
請求項２に記載の発明は、前記Ｌ字状の反転置台２に、木質パネルＰの倒れ止めとなる前後一対の柵体５、６を設け、この柵体５、６を、木質パネルＰを反転置台２に横置きした時に、木質パネルＰの下方で倒れ止めとなって木質パネルＰを支える第１および第２の柵体５ａ、５ｂと、木質パネルＰを縦置きした時に、木質パネルＰの下方で倒れ止めとなって木質パネルＰを支える第３の柵体５ｃとから構成し、これら柵体５、６のうち前側の柵体５を、ヒンジ７を介して開閉自在に設け、かつ第１および第２の柵体５ａ、５ｂを、反転置台２の基端部２ｃから先端部に向けて順番に配置し、しかも前面柵体５ｂを前面柵体５ａよりも高さの低い柵体５ｂとしたことを前記課題の解決手段とした。
【００１４】
請求項２に記載の発明によれば、このパネル反転装置１によって木質パネルＰを立て起こす際に、前後一対の柵体５、６が設けられていることで木質パネルＰは前後を柵体５、６に挟まれて倒れることがない。すなわち、木質パネルＰを反転置台２に横置きした時には、第１および第２の柵体５ａ、５ｂによって木質パネルＰは、自身の下方が支えられ、また、木質パネルＰを縦置きした時には、第３の柵体５ｃによって木質パネルＰの下方は、自身の下方が支えられるので倒れることがない。
【００１５】
また、反転置台２の前面柵体５はヒンジ７を介して開閉自在とされているので、搬送車両から反転置台２への載置作業や、木質パネルＰをクレーンなどで所定の位置に吊り上げるときに、この前面柵体５を開くことによって、木質パネルＰの出し入れがしやすくなるものである。
【００１６】
請求項３に記載の発明は、前記スライド機構１３が、反転置台２の基端部２ｃを、チェーン１８を介して基台部３の長さ方向に移動させる駆動部１５と、反転置台２の基端部２ｃとチェーン１８とを連結する連結部と、この連結部を基台部３の長さ方向に案内するガイド部１７とを具備していることを前記課題の解決手段とした。
【００１７】
請求項３に記載の発明によれば、駆動部１５を駆動させると、連結部１６を介して連結された基端部２ｃがチェーン１８を介して左右にスライドし、ガイド部１７が前記連結部１６を、基台部３の長さ方向に案内する。
【００１８】
請求項４に記載の発明は、前記リンク機構１４を、主軸Ａを支持する架台２６と、反転置台２に備えられて、この反転置台２を回転自在に支持した構成とした支持軸Ｂと、この反転置台２の支持軸と主軸Ａとを連結する連結アーム２７とを具備し、前記反転置台２の支持軸Ｂを、反転置台２が横置き状態の時に、主軸Ａよりも反転置台２の先端側に位置し、かつ主軸Ａの取り付け位置よりも下方に位置して設けたことを前記課題の解決手段とした。
【００１９】
請求項４に記載の発明によれば、反転置台２の支持軸Ｂが、主軸Ａに対して連結アーム２７により連結されているので、反転置台２の基端部２ｃをスライドさせた時に、連結アーム２７を半径として主軸Ａを中心に支持軸Ｂが移動する。
また、この支持軸Ｂは、木質パネルＰを横置きにした状態の時には主軸Ａよりも反転置台２の先端側に位置し、かつ主軸Ａの取り付け位置よりも下方に位置しているため、反転置台２を横置きした状態から、反転置台２の基端部２ｃをスライドさせると、この支持軸Ｂは、主軸Ａを中心に連結アーム２７を半径として主軸Ａの取り付け位置よりも上方に向かって回転し、これによって、反転置台２は基端部２ｃを支点に、反転置台２の先端部から次第に迫り上がり、９０度反転して縦置きの状態となる。
【００２０】
請求項５に記載の発明は、基台部３に、基台部３の設置状態を安定させる前後左右４本の脚機構１０を備えた構成とし、かつこの脚機構１０を、基台部３の外側に展開する旋回アーム１０ａと、この旋回アーム１０ａの先端に設けられて、高さ調整自在な接地プレート１０ｂとから構成したことを前記課題の解決手段とした。
【００２１】
請求項５に記載の発明によれば、この旋回アーム１０ａを外側に展開させて、接地プレート１０ｂで支持させれば、基台部３の前後左右が安定し、パネル反転装置１がバランス良く設置される。
【発明の効果】
【００２２】
請求項１に記載の発明によれば、搬送車両の高さ制限を越える高さを持った大型の木質パネルでも、安全に９０度反転させて縦置きにした状態にすることができるので、クレーン等で起立させる作業の手間を軽減させて住宅の構築作業の効率を高めることができる。
【００２３】
請求項２に記載の発明によれば、パネル反転中には、前後一対の柵体５、６を設けたことで木質パネルＰの転倒を防ぐことができ、安全に作業を進めることができる。
また、この柵体５、６の前面柵体５はヒンジ７を介して開閉することができるので、木質パネルＰを搬送車両からパネル反転装置１に降ろす際や、立て起こした木質パネルＰをクレーンで吊り上げる時などに、木質パネルＰを容易に反転装置１から取り出すことができる。
【００２４】
また、前面柵体５を構成する、第１および第２の柵体５ａ、５ｂは、反転置台２の基端部２ｃから先端部に向けて順番に配置され、しかも第２の柵体５ｂは、第１の柵体５ａよりも高さの低い柵体５ｂとしているので、木質パネルＰの出し入れがし易く、小型のパネルであっても、柵体５、６が邪魔になることもなく、様々な大きさの木質パネルを反転させることについても、容易に対応することができる。
【００２５】
請求項３に記載の発明によれば、反転置台２の基端部２ｃがチェーン１８を介して移動させられ、またガイド部１７によって基端部２ｃが基台部３の長さ方向に案内させられるので、安定したパネルの立て起こしが可能になる。
【００２６】
請求項４に記載の発明によれば、支持軸Ｂが主軸Ａを中心に、連結アーム２７を半径として移動し、主軸Ａの取り付け位置よりも上方に向かって回転することによって、反転置台２が基端部２ｃを支点に、反転置台２の先端部分から次第に迫り上がって、木質パネルＰを立て起こすので、立て起こし作業にかかる手間を軽減することができるとともに、住宅の構築作業の効率を高めることができる。
【００２７】
請求項５に記載の発明によれば、基台部３の前後左右にそれぞれ脚機構１０を設けて、作業時には、これら脚機構１０の旋回アーム１０ａを外側に展開し、接地プレート１０ｂを設置することにより、パネル反転装置１の転倒を防止することができ、作業の安全性を向上させることができる。
【発明を実施するための最良の形態】
【００２８】
以下図面を参照して、本発明のパネル反転装置１の実施の形態を詳細に説明する。
【００２９】
このパネル反転装置１は、より具体的には、図１〜図４に示すように、木質パネルＰを載せる反転置台２と、反転置台２を載せる基台部３と、反転置台２を横置きから縦置きに反転させる反転機構４とから構成されている。
【００３０】
前記反転置台２は、鋼材等により、全体がＬ字状に形成されたもので、木質パネルＰを載せて横置きした時に、木質パネルＰの下方を支持する第１の載置部２ａと、木質パネルＰを載せて縦置きした時に、木質パネルＰの下方を支持する第２の載置部２ｂとから構成されている。
【００３１】
この第１および第２の載置部２ａ、２ｂには、木質パネルＰの倒れ止めとなる前後一対の柵体５、６が設けられ、この前後一対の柵体５、６のうち、前面柵体５の第１および第２の柵体５ａ、５ｂは、図１および図５に示すように、ヒンジ７を介して載置部２ａに開閉自在に設けられている。そして、第１および第２の柵体５ａ、５ｂは、第１の載置部２ａの基端部２ｃから先端部に向けて順番に配置され、しかも前面柵体５ｂは前面柵体５ａよりも高さの低い柵体５ｂとなっている。
【００３２】
一方、前面柵体５の第３の柵体５ｃは、ヒンジ７を介して載置部２ｂに開閉自在に設けられており、木質パネルＰを縦置きした時に、木質パネルＰの下方で、この木質パネルＰの倒れ止めとなるものである。
【００３３】
さらに、第１の柵体５ａと第３の柵体５ｃは錠８によって固定され、パネル反転時には前面柵体５が開かないように構成されている。
【００３４】
また、後面柵体６は、図２〜図４に示すように、反転置台２に設けられて、開閉しない構造となっているが、木質パネルＰが横置きの状態においても、また縦置きの状態においても木質パネルＰの下方で、この木質パネルＰの倒れ止めとなるものである。なお、前記後面柵体６には、木質パネルＰを反転置台２に載置した際に、この木質パネルＰの倒れ止め補助となるように補助柱９が設けられている。
【００３５】
前記基台部３は、鋼材（例えばＣ型鋼、Ｈ型鋼）等を用いて矩形枠状に組み立てられて、この基台部３上に設けられた反転置台２を安定的に支持できるように形成されている。
【００３６】
この基台部３には、基台部３の設置状態を安定させる前後左右４本の脚機構１０が備えられ、かつこの脚機構１０は、基台部３の外側に展開する旋回アーム１０ａと、この旋回アーム１０ａの先端に設けられて、高さ調整自在な接地プレート１０ｂとから構成されている。
【００３７】
前記旋回アーム１０ａは、その基端部分が旋回軸１１を介して基台部３に取り付けられ、また、旋回アーム１０ａの先端部には、接地プレート１０ｂがネジ軸１２６を介して高さ調整可能に取り付けられている。
【００３８】
前記反転機構４は、反転置台２の基端部２ｃを左右にスライド自在に支持するスライド機構１３と、反転置台２の一部に連結されて、反転置台２の基端部２ｃをスライドさせた時に、主軸Ａを中心に反転置台２を９０度回転させるリンク機構１４とから構成されている。
【００３９】
前記スライド機構１３は、図６に示すように、反転置台２の基端部２ｃを、チェーン１８を介して基台部３の長さ方向に移動させる駆動部１５と、反転置台２の基端部２ｃとチェーン１８とを連結する連結部１６と、この連結部１６を基台部３の長さ方向に案内するガイド部１７とを主体として構成されている。
【００４０】
そして、駆動部１５は、本実施の形態では電動モータ等が適用され、電動モータの駆動軸１９の先端部にはギア（図示せず）を介してチェーン１８が連結されて、駆動軸１９の回転によりチェーン１８が駆動されるようになっている。
【００４１】
なお、この駆動部１５としては、電動モータや油圧モータなどが考えられるが、チェーン１８を駆動できるものであれば、これらに限られるものではない。
また、このチェーン１８は、ギアを介して駆動軸１９と連結して、駆動部１５の動力を伝達できるものであれば、これに限るものではない。例えば、ワイヤー状のものや、ベルト状のものであっても良い。
【００４２】
前記連結部１６は、反転置台２の基端部２ｃに取り付けられ、全体としては略逆Ｕ字型に形成されている。
そして、連結部１６にはチェーン１８と連結される連結軸１４が設けられ、さらに、この連結軸１４は、その両端が連結部１６の両側板より突出して、各端部に支持ローラ２１、２１が設けられている。この支持ローラ２１、２１は連結部１６を介して、反転置台２を支持するもので、基台部３上に設けられたガイドレール２２、２３上を移動するようになっている。
また、連結軸１４の一端は、後述する補助フレーム３０と連結されて、反転置台２が反転する時に反転置台２を安定させるように配慮されている。
【００４３】
前記ガイド部１７は、前記連結部１６を基台部３の長さ方向に案内するもので、本実施の形態では、前記支持ローラ２１、２１の案内路となる左右一組のガイドレール２４と、このガイドレール２４に嵌合する形態で連結部１６に設けられたガイド突起２５とを主体として構成されている。
【００４４】
なお、このガイドレール２４は、Ｃ型鋼等を用いて基台部３上に設けられており、また、ガイド突起２５は、ガイドレール２４の一部に嵌合するように設けられていて、連結部１６の移動を安定させるように構成されている。
【００４５】
反転機構４を構成するリンク機構１４は、図７に示すように、主軸Ａを支持する架台２６と、反転置台２に備えられて、この反転置台２を回転自在に支持する支持軸Ｂと、この反転置台２の支持軸Ｂと主軸Ａとを連結する連結アーム２７とを主体として構成されている。
【００４６】
前記架台２６は、基台部３上に鉄骨を用いて組み立てられ、この架台２６の上端には反転置台２の回転中心となる主軸Ａの軸受け２８が設けられ、この軸受け２８に主軸Ａが回転自在に支持されている。
【００４７】
支持軸Ｂは、反転置台２の補助フレーム３０に、支持プレート２９を介して取り付けられ、反転置台２が横置き状態の時に、主軸Ａよりも反転置台２の先端側に位置し、かつ主軸Ａの取り付け位置よりも下方に位置して設けられている。
なお、この補助フレーム３０は長方形のフレームから構成され、一端が反転置台２の基端部２ｃと一致し、対角線上の他端の角部に支持軸Ｂの支持プレート２９が設けられている。
【００４８】
連結アーム２７は、主軸Ａと支持軸Ｂを連結するもので、一方の端部に支持軸Ｂが連結され、他方の端部に主軸Ａが連結されている。
【００４９】
なお、本実施の形態に用いられる木質パネルＰには、例えば、立て起こした状態の高さがおよそ１４尺、横幅がおよそ９尺ほどの、蔵型収納付き建物専用の大型木質パネルＰなどが用いられるが、この木質パネルＰは、蔵型収納付き建物専用のものに限られず、パネル反転装置１で反転されるべきパネルであれば他の用途に用いられるパネルであっても良い。
【００５０】
以上のように構成されたパネル反転装置１を用いて、木質パネルＰを反転させるには、図８に示すように、まず、反転置台２が設けられた基台部３を地面上に設置する。この時、基台部３の四方に取り付けられた脚機構１０の旋回アーム１０ａを外側に展開し、接地プレート１０ｂの高さを調整してパネル反転装置１を安定した状態に据え付ける。
【００５１】
次に、図８（ａ）に示すように、反転置台２を横置きの状態にしておく。そして、あらかじめ前面柵体５を開いた状態にして、容易に木質パネルＰを載置できるようにする。
【００５２】
そして、横置きに搬送されてきた木質パネルＰに吊り治具３１を取り付け、クレーンで吊り上げて、横置きのまま反転置台２の第１の載置部２ａに載置する。
【００５３】
載置した後は吊り治具３１を取り外し、図８（ｂ）に示すように、開いておいた前面柵体５を閉じて、前後の柵体５、６で木質パネルＰを挟むようにして保持する。
【００５４】
この木質パネルＰを立て起こした状態にするには、スライド機構１３の駆動部１５を駆動させてチェーン１８を動かし、反転置台２の基端部２ｃを基台部３の長さ方向にスライドさせる。この時、ガイド部１７によって前記連結部１６が、基台部３の先端方向に案内されるので安定した状態でパネルの立て起こしが可能になる。
【００５５】
また、反転置台２の基端部２ｃが基台部３の先端方向にスライドさせられると、リンク機構１４の支持軸Ｂが、主軸Ａを中心に、連結アーム２７を半径として移動し、主軸Ａの取り付け位置よりも上方に向かって回転することによって、反転置台２が基端部２ｃを支点に、反転置台２の先端部分から次第に迫り上がって木質パネルＰを立て起こすことができる。
【００５６】
このような反転機構４の作用によって、木質パネルＰが、図９（ａ）に示すように縦置きの状態となる。
【００５７】
木質パネルＰを縦置きの状態に立て起こした後は、この木質パネルＰに、図９（ｂ）に示すように、吊り治具３１を取り付け、閉じていた前面柵体５を開いて、クレーン等で吊り上げて、安全に所定の場所に設置する。
【００５８】
上記の本実施の形態によって、搬送車両の高さ制限を越える高さを持った大型の木質パネルＰでも、より安全に、かつ、この横置きにした大型木質パネルＰを９０度反転させて縦置きした状態にすることができ、クレーン等で吊り上げて立て起こす作業の手間を軽減させるとともに、住宅の構築作業の効率を高めることができる。
【図面の簡単な説明】
【００５９】
【図１】本発明のパネル反転装置の一例を示すもので、木質パネルを横置きした際の正面図である。
【図２】木質パネルを横置きした状態を示した背面図である。
【図３】木質パネルを立て起こす中途を示した背面図である。
【図４】木質パネルを縦置きした状態を示した背面図である。
【図５】前面柵体が開いた状態を示す斜視図である。
【図６】スライド機構を示した基端部側からの断面図である。
【図７】リンク機構を示した背面図である。
【図８】木質パネルを横置きした際の概略図であり、（ａ）は吊り治具を取り付けた状態を示し、（ｂ）は吊り治具を取り外した状態を示すものである。
【図９】木質パネルを縦置きした際の概略図であり、（ａ）は吊り治具を取り付ける前の状態を示し、（ｂ）は吊り治具を取り付けた状態を示すものである。
【符号の説明】
【００６０】
Ｐ  木質パネル
１  パネル反転装置
２  反転置台
２ｃ  基端部
３  基台部
４  反転機構
５  前面柵体
１３  スライド機構
１４  リンク機構
Ａ  主軸
Ｂ  支持軸
【図１】
2005240294.tif 000003
【図２】
2005240294.tif 000004
【図３】
2005240294.tif 000005
【図４】
2005240294.tif 000006
【図５】
2005240294.tif 000007
【図６】
2005240294.tif 000008
【図７】
2005240294.tif 000009
【図８】
2005240294.tif 000010
【図９】
2005240294.tif 000011